(57)【要約】【課題】粉粒体を輸送面から飛び上げることなく、輸送面の一端から他端へ移送でき、これにより単位時間当たりの移送距離を小さくできるとともに、輸送面を加熱又は冷却し、輸送中に粉粒体を加熱、乾燥又は冷却可能とし、これにより熱交換効率の良い加熱・冷却振動フィーダを提供する。【解決手段】粉粒体を内部に入れて一方から他方に、振動させて移送する、流動室本体１を設けた振動フィーダにおいて、前記流動室本体１の下面を成す輸送面を下り勾配となるように傾斜させて設け、当該輸送面に対して略平行方向の振動を与える振動モータ４を設け、輸送面を加熱又は冷却する加熱源又は冷却源を備えた。【選択図】      図１
2014005115.tif 000002
【特許請求の範囲】
【請求項１】
粉粒体を内部に入れて一方から他方に、振動させて移送する、略断面チャネル型の流動枠体を設けた振動フィーダにおいて、
前記流動枠体の下面を成す輸送面を下り勾配となるように傾斜させて設け、当該輸送面に対して略平行方向の振動を与える振動源を設けたことを特徴とする、振動フィーダ。
【請求項２】
前記流動枠体の両端を壁で閉鎖し、前記流動枠体の上部開口部に蓋体を設けて略密閉された流動室本体を形成し、前記傾斜する輸送面の手前側に位置する前記蓋体に粉粒体の供給口を設け、前記輸送面の先端側端部に排出口を設けたことを特徴とする、請求項１に記載の振動フィーダ。
【請求項３】
前記輸送面を加熱又は冷却する加熱源又は冷却源を備えたことを特徴とする、請求項２に記載の振動フィーダ。
【請求項４】
前記流動室本体の蓋体に窓を開け、当該窓をフィルタで被ったことを特徴とする、請求項３に記載の振動フィーダ。
【発明の詳細な説明】
【技術分野】
【０００１】
この発明は、振動により流動室内の粉粒体を流動化させるとともに、粉粒体を供給口から排出口に向けて移動させる振動フィーダに関するもので、当該移送の際に粉粒体を加熱、乾燥又は冷却可能な振動フィーダである。
【背景技術】
【０００２】
従来の振動流動乾燥・冷却装置５１は、図７に示すように、振動モータ（図示省略）により斜め上方方向に振動され、流動室５１ａ内の一端に供給された粉粒体は振動と共に斜め上方に飛び跳ねながら他端に移送される。その際、送風機５２から熱風又は冷風が流動室５１ａ内に吹き付けられる。これにより飛び上がった粉粒体に熱風又は冷風が当たり、粉粒体は乾燥又は冷却される。
【０００３】
これらの流動室５１ａに供給された熱風は振動流動乾燥・冷却装置５１の上部に設けた排気口５３から管体（図示省略）を通して集塵機５４に排出され、当該集塵機５４から排風機５５を通して外部に排気される。一方、乾燥された粉粒体は前記振動流動乾燥・冷却装置５１の他端から排出される。
【０００４】
図８に前記振動流動乾燥・冷却装置５１の概略縦断面図を示す。前記振動流動乾燥・冷却装置５１は図示のように、複数の、伸縮自在なバネ体を具備した脚体５６により振動自在に支持されている。また、両側に設けられた前記振動モータ（図示省略）により図７において、斜め上方方向に振動する。
【０００５】
また、前記熱風が供給される送風室５７が前記流動室５１ａの下に設けられ、前記流動室５１ａと送風室５７とは多孔板５８で連通されている。これにより、熱風又は冷風は、送風室５７から振動整流板５８の多数の小孔を通して流動室５１ａに吹き付けられる。従って、流動室５１ａ内の粉粒体は、前記多孔板５８上で、前記振動及び下からの熱風又は冷風の風圧で飛び跳ねながら所定方向に移送され、かつ乾燥又は冷却される。
【０００６】
そして、当該熱風又は冷風は、流動室５１ａの上方に設けられた前記排気口５３から管路を介して前記集塵機５４に集められる。この集塵機５４に集められる排気エアーには粉粒体中の微細粉が混ざり、集塵機５４に集められ、廃棄される。これらの構成は特許文献１の図２に示された乾式冷却装置、及び特許文献２の基本構成と同じである。
【０００７】
【特許文献１】特開２００８−１３７８４号公報
【特許文献２】特開２０１１−２１４７３５号公報
【発明の開示】
【発明が解決しようとする課題】
【０００８】
前記従来の特許文献１及び２、また、前記図示の又はその他の振動流動乾燥・冷却装置は全て、図５（Ａ）に示すように、輸送面５ａで粉流体Ｐを斜め上方に飛び上がらせて移動させ、その間に粉粒体Ｐを乾燥・冷却させるもので、この方式の場合、粉粒体の移送速度は、振動で粉粒体を押すため、ある程度大きく、低速での移送は困難であった。
【０００９】
また、粉粒体Ｐを輸送面５ａで飛び上がらせるため、輸送面５ａを加熱又は冷却している場合は、粉粒体Ｐが加熱又は冷却している輸送面に常には接触しておらず、熱交換の効率の悪いものであった。
【００１０】
また、前記特許文献１及び２、又は前記図示の振動流動乾燥・冷却装置等の熱風や冷風を吹き付ける方式のものは、粉粒体が医薬品や食品等の高価なものである場合は、前記のように、粉粒体中の微細粉が、集塵機に集められて廃棄されると、当該乾燥又は冷却処理時の処理物の歩留まりが悪く、コストアップにつながる。
【００１１】
また、前記振動流動乾燥・冷却装置５２の排気口５７から管路を通して集塵機５８に排気エアーを集めているため、管路や集塵機等の設備を要し、その分の設備費用及びランニングコストがかかる。
【００１２】
そこで、この発明は、前記の技術的課題を解決するもので、従来の粉粒体の輸送面に対し斜め上方へ突き上げる振動によって、粉粒を斜め上方に飛び上がらせ、これにより粉粒体を輸送面の一端から他端に移送する方式に代え、粉粒体を輸送面から飛び上げることなく、輸送面の一端から他端へ移送でき、これにより単位時間当たりの移送距離を小さくできる振動フィーダを提供するものである。さらに、上記構成で輸送面を加熱又は冷却し、輸送中に粉粒体を乾燥又は冷却可能とし、これにより熱交換効率の良い加熱・冷却振動フィーダを提供することを目的としたものである。
【課題を解決するための手段】
【００１３】
請求項１の発明は、粉粒体を内部に入れて一方から他方に、振動させて移送する、断面チャネル型の流動枠体を設けた振動フィーダにおいて、前記流動枠体の下面を成す輸送面を下り勾配となるように傾斜させて設け、当該輸送面に対して略平行方向の振動を与える振動源を設けた、振動フィーダとした。
【００１４】
また、請求項２の発明は、前記流動枠体の両端を壁で閉鎖し、前記流動枠体の上部開口部に蓋体を設けて密閉された流動室本体を形成し、前記傾斜する輸送面の手前側に位置する前記蓋体に、粉粒体の供給口を設け、前記輸送面の先端側端部に排出口を設けた、請求項１に記載の振動フィーダとした。
【００１５】
また、請求項３の発明は、前記輸送面を加熱又は冷却する加熱源又は冷却源を備えた、請求項２に記載の振動フィーダとした。
【００１６】
また、請求項４の発明は、前記流動室本体の蓋体に窓を開け、当該窓をフィルタで被った、請求項３に記載の振動フィーダとした。
【発明の効果】
【００１７】
請求項１の発明によれば、粉粒体は輸送面が、輸送面と略平行に振動するため、従来のように輸送面から飛び上がらず、輸送面に沿って前後に動くが、当該輸送面が下り勾配のため、粉粒体は自重で、輸送面の傾斜に沿って動いていく。このようにして、粉粒体は輸送面の一端から他端に移動していく。
【００１８】
従って、輸送面の下り勾配の角度を小さくすれば、粉粒体の移送速度は小さくなる。これは、従来の輸送面を斜め方向に振動させて、粉粒体を斜めに突き上げながら移送する方式と比べ、１／２以下の速度でも移送可能である。また、従来の粉粒体が輸送面から斜めに飛び上げる方式では、粉粒体が流動枠体内で舞い上がるが、その点、この発明では、粉粒体は輸送面から飛び上がらず、粉粒体の回収率が極めて高い。
【００１９】
また、請求項２の発明によれば、流動室は略密閉されているため、かつ、粉粒体は移送中、輸送面から飛び上がらないので、流動室から飛び散ることがない。さらに、粉粒体の移送中、外部から異物が混入する恐れもない。
【００２０】
また、請求項３の発明によれば、輸送面を加熱又は冷却する加熱源又は冷却源を備えているため、粉粒体は、上述のように、輸送面から常に離れずに、前後移動を繰り返しつつ、傾斜方向に移送されるため、加熱又は冷却した輸送面に常に接触しながら移送される。従って、従来の粉粒体が加熱又は冷却した輸送面から飛び上がりながら移送されて乾燥又は冷却される方式と比べ、熱交換効率が極めてよい。
【００２１】
また、この発明では、従来の熱風や冷風を粉粒体に当てる方式と異なり、
粉粒体は加熱又は冷却された輸送面で熱交換されるため、粉粒体中の微粒子が排気エアーと共に排出することがなく、全て回収され、歩留まりが良い。
【００２２】
また、請求項４の発明によれば、流動室の天板箇所にフィルタ付の窓を設けているため、粉粒体を乾燥させる際、粉粒体の水分が熱交換により蒸気となるが、この蒸気が上昇気流となって前記窓から自然に排気することができ、熱交換を促進することができる。
【発明を実施するための形態】
【００２３】
この発明は、粉粒体を内部に入れて一方から他方に振動させて移送する、断面チャネル型の流動枠体を設けた振動フィーダにおいて、前記流動枠体の下面を成す輸送面を下り勾配となるように傾斜させて設け、当該輸送面に対して略平行方向の振動を与える振動源を設け、前記流動枠体の両端を壁で閉鎖し、前記流動枠体の上部開口部に蓋体を設けて密閉された流動室本体を形成し、前記傾斜する輸送面の手前側に位置する前記蓋体に、粉粒体の供給口を設け、前記輸送面の先端側端部に排出口を設けた、請求項１に記載の振動フィーダとした。
【００２４】
これにより、粉粒体は輸送面が、輸送面と略平行に振動するため、従来のように輸送面から飛び上がらず、輸送面に沿って前後に動くが、当該輸送面が下り勾配のため、粉粒体は自重で、輸送面の傾斜に沿って動いていく。このようにして、粉粒体は輸送面の一端から他端に移送される。
【図面の簡単な説明】
【００２５】
【図１】この発明の実施例１の正面図である。
【図２】この発明の実施例１の平面図である。
【図３】この発明の実施例１の側面端面図である。
【図４】この発明の実施例１の要部拡大縦断面図である。
【図５】従来の振動フィーダのとこの発明の振動フィーダの移送原理を示す図であり、（Ａ）図は従来のもの、（Ｂ）図はこの発明のものである。
【図６】この発明の実施例１の変形例の正面図である。
【図７】従来例のシステム全体の概略図である。
【図８】従来例の装置の概略縦断面図である。
【実施例１】
【００２６】
以下、この発明の実施例１を図に基づいて説明する。この発明の振動フィーダは、図１〜図４に示すように、流動室本体１は、基台２の上に設けられた複数の脚体３に支持されている。これらの各脚体３はバネにより伸縮、搖動自在な構成であり、これにより、前記流動室本体１も搖動自在となっている。前記基台１は、文字通り台でも良く、場合によっては床でも良い。
【００２７】
また、前記流動室本体１の一端には２台の振動モータ４が設けられており、こられの振動モータ４により流動室本体１が振動する。この流動室本体１は、図４に示すように、チャネル型のトラフ５の下面、すなわち、輸送面５ａの下に沿ってヒータ６が設けられており、これらのトラフ５及びヒータ６を被うようにグラスウール製のチャネル型の枠体７が設けられている。
【００２８】
また、前記枠体７の両端は壁で塞がれている。さらに、これらのトラフ５及び枠体７の上部開口部を、周縁に下向き縁を有する扁平な蓋体８が塞いでいる。これにより、流動室本体１はほぼ密閉されている。
【００２９】
前記ヒータ６は、熱源としては電気ヒータ又はスチームヒータでも良い。また、この流動室本体１の蓋体８の一端には、粉粒体を当該流動室本体１に入れる供給口９が設けられ、また、他端のトラフ５の下面には、略漏斗状の排出口１０が設けられている。
【００３０】
また、この流動室本体１及び前記輸送面５ａは、図５（Ｂ）において、左側から右側にかけて下向き勾配θ°を有しており、また、前記振動モータ４は、当該輸送面５ａを、当該輸送面５ａと略平行な方向に振動Ｖを与えるものである。
【００３１】
この実施例１の場合、前記ヒータ６を加熱し、振動モータ４を稼動させると、流動室本体１が振動し、輸送面５と平行に振動する。そこで、供給口９から粉粒体を流動室本体１に収納する。すると粉粒体Ｐは、図５（Ｂ）に示すように、輸送面５ａの面上で、輸送面５ａと平行方向に振動するが、輸送面５ａが、先端方向に傾斜しているため、自重で右方向（図１の排出口１０方向）に移動する。その際、粉粒体Ｐは常に輸送面５ａに接しており、プレートヒータ６の熱がトラフ５の輸送面５に伝わり加熱される。従って、粉粒体Ｐは加熱又は乾燥する。
【００３２】
なお、上記実施例１では、トラフ５の下にヒータ６を設けているが、これは粉粒体を加熱又は乾燥処理する場合であり、粉粒体の冷却処理の場合は、冷却体を設ける。乾燥の場合の加熱体、冷却の場合の冷却体は適宜の加熱源又は冷却源を備えたものであれば良い。
【００３３】
また、粉粒体を乾燥させる場合は、図６に示すように、流動室本体１の蓋体８の適宜箇所に、窓１１を設け、当該窓１１をフィルタ１２で被う構造にしてもよい。この場合、粉粒体の水分が熱交換によって蒸気となるが、この蒸気が上昇気流となって前記窓１１からフィルタ１２を通って自然に排気することができ、熱交換を促進することができる。
【００３４】
また、この発明は、上記実施例１では粉粒体を移送する流動室本体１を密閉して設けた、必ずしも密閉する必要がなく、チャネル型の流動枠体でもよい。
【符号の説明】
【００３５】
１      流動室本体                ２       基台
３      脚体                      ４      振動モータ
５      トラフ                    ５ａ    輸送面
６      ヒータ                    ７      枠体
８      蓋体                      ９      供給口
１０    排出口                    １１    窓                        
１２    フィルタ          
Ｐ      粉粒体                    Ｖ      振動の方向
【図１】
2014005115.tif 000003
【図２】
2014005115.tif 000004
【図３】
2014005115.tif 000005
【図４】
2014005115.tif 000006
【図５】
2014005115.tif 000007
【図６】
2014005115.tif 000008
【図７】
2014005115.tif 000009
【図８】
2014005115.tif 000010